(57)【要約】【課題】装飾用部品として用いられ、容器内で光源の光が反射を繰り返し幻想的な雰囲気を醸し出す装飾用ランプの提供。【解決手段】本考案の装飾用ランプは、図１において、ガラスからなる球体１の内部に銀色の反射体からなるテープ２が内蔵されている。このテープ２は、球体１内の空間を占めるように配置されている。反射物質としては、紙、木、ブラスチックスなどの表面に反射性金属の皮膜、蛍光体皮膜を有するものでもよい。球体中には、通常、空気が充填されているが、これに限らず水や油などの流動性液体を存在させてもよい。      更に本考案では、流動性液体としては、水の他、低粘性から高粘性の油やシリコーン油などの透明性液体が用いられる。更に本考案では、球体１の頂上部にＬＥＤ光源３が設けられている。【選択図】図１
0003107939.tif 000002
【実用新案登録請求の範囲】
【請求項１】
透明又は半透明容器中に存在する媒体に反射体を有すると共に該容器の内部に光源を設けたことを特徴とする装飾用ランプ。
【請求項２】
透明又は半透明容器中に存在する媒体に反射体を有すると共に該容器の内部にＬＥＤ光源を設けたことを特徴とする装飾用ランプ。
【請求項３】
前記透明又は半透明容器は、着色していることを特徴とする請求項１又は請求項２に記載の装飾用ランプ。
【請求項４】
前記媒体が、空気であることを特徴とする請求項１乃至請求項３のいずれかに記載の装飾用ランプ。
【請求項５】
前記媒体は、水、油又はシリコーン油から選択された少なくとも１種の流動性液体からなることを特徴とする請求項１乃至請求項４のいずれかに記載の装飾用ランプ。
【考案の詳細な説明】
【技術分野】
【０００１】
本考案は、装飾用ランプに関するもので、更に詳しくは、天井から吊るしたり、クリスマスツリーに吊るしたり、その他適宜の場所に設置することができる装飾用ランプに関する。
【背景技術】
【０００２】
従来、装飾用に用いられる表示灯や照明機能を有する装飾体は、知られており、例えば、前者の表示灯は、天井から吊り下げて使用する表示板や看板として、又はステンドグラス調の室内装飾品として使用するために、透明層と光乱射層からなり、光乱射層の厚みが光源の設置されるべき位置から遠ざかるにつれて増大する導光板の両面に、表示シートを覆い、導光板の上端面に光源を設け、光源及び周囲の側端面を反射板で囲んだ構造のものが開示されている（例えば、特許文献１参照）。また後者の照明機能を有する装飾体は、透光性のアクリル樹脂で形成したドーナツ状の円筒を６個を積み重ね、その開口に筒を挿入する。ドーナツ状の円筒のそれぞれには、円筒の下面側に円筒と同心の周溝を形成し、該溝に複数のＬＥＤを周溝に沿って設けたものからなり、ＬＥＤが発光すると、その光が反射板で反射され、透光性を有する円筒内に光が拡散し、空間をＬＥＤの発光色で照らして優雅な雰囲気を醸し出すことができることが開示されている（例えば、特許文献２参照）。
【特許文献１】特開平１０−１２５１２０号公報（特許請求の範囲、段落０００３、図５）
【特許文献２】特開２００３−３９８９８（段落００１２、図１、図２）
【考案の開示】
【考案が解決しようとする課題】
【０００３】
しかしながら、前述の如き特許文献１に記載されている如き表示灯や照明機能を有する装飾体は、それ自体で装飾品となるものであって、本考案の装飾用ランプが、透明又は半透明容器中に存在する媒体に反射体を有すると共に該容器の内部に光源を設けたものとは、異なるものであり、本考案の装飾用ランプは、新規な考案である。したがって、本考案が解決しようとする課題は、装飾用部品として用いられ、容器内で光源の光が反射を繰り返し幻想的な雰囲気を醸し出す装飾用ランプを提供することにある。
【課題を解決するための手段】
【０００４】
本考案の上記各課題は、以下の各考案によってそれぞれ達成される。
（１）透明又は半透明容器中に存在する媒体に反射体を有すると共に該容器の内部に光源を設けたことを特徴とする装飾用ランプ。
（２）透明又は半透明容器中に存在する媒体に反射体を有すると共に該容器の内部にＬＥＤ光源を設けたことを特徴とする装飾用ランプ。
（３）前記透明又は半透明容器は、着色していることを特徴とする前記第１項又は第２項に記載の装飾用ランプ。
（４）前記媒体が、空気であることを特徴とする前記第１項乃至第３項のいずれかに記載の装飾用ランプ。
（５）前記媒体は、水、油又はシリコーン油から選択された少なくとも１種の流動性液体からなることを特徴とする前記第１項乃至第４項のいずれかに記載の装飾用ランプ。
【考案の効果】
【０００５】
本考案の第１項に記載の装飾用ランプによれば、透明又は半透明容器中に存在する媒体に反射体を有すると共に該容器の内部に光源を設けたことにより、該容器内で光源の光が反射を繰り返し幻想的な雰囲気を醸し出すことができるという優れた効果を奏するものである。本考案の第２項に記載の装飾用ランプによれば、透明又は半透明容器中に存在する媒体に反射体を有すると共に該容器の内部にＬＥＤ光源を設けたことにより、該容器内で光源の光が反射を繰り返しいっそう幻想的な雰囲気を醸し出すことができるばかりでなく消費原力をすくなくすることができ、経済的であるという優れた効果を奏するものである。また上記の本考案の第３項に記載の装飾用ランプは、透明又は半透明容器は、着色していることにより、光源の光の色と組みあわせて幻想的な雰囲気を醸し出すことができる。上記の本考案の第４項に記載の装飾用ランプは、上記の媒体が空気であることにより、ひもやテープからなる反射体からの反射光が、幻想的な雰囲気を醸し出すことができるばかりでなく直接、鑑賞することができる。更に上記の本考案の第５項に記載の装飾用ランプは、前記媒体は、水、油又はシリコーン油から選択された少なくとも１種の流動性液体からなることにより、これらの液体中に金属片等の反射体片を分散することができる。
【考案を実施するための最良の形態】
【０００６】
以下に、本考案の実施の形態を図面で説明するが、本考案は、これに限定されるものではない。図１は、本考案の装飾用ランプの容器が球体からなる場合の実施の形態を示す斜視図である。図１において、ガラスからなる球体１の内部に銀色の反射体からなるテープ２が内蔵されている。このテープ２は、球体１内の空間を占めるように配置されている。この例では、テープ２の他、紐などのように帯状のものであれば、特に限定されない。またテープ２などの帯状体の材質は、金属または紙や合成樹脂などの帯状体の表面に金属被覆を設けたものでよい。また棒状体で球体中に規則的又は不規則的に配列して構造物を構成してもよい。また球体中に有する帯状体にかえて三角形、四角形、五角形、六角形、球状体からなる反射物質片を用いてもよい。球状体としては、球形または楕円形であってもよい。更に形状は、文字などでもよい。反射物質としては、帯状体の材質と同様に金属が用いられるが、紙、木、ブラスチックスなどの表面に反射性金属の皮膜、蛍光体皮膜を有するものでもよい。蛍光体としては、いわゆる通常、蛍光体といわれる短光性のもの又は長残光性蛍光体など特に限定されるものではない。更に球体などの容器中には、特殊のものとしては、透明なガラスウール、光ファイバーなどを入れてもよい。また、球体中には、通常、空気が充填されているが、これに限らず水や油などの流動性液体を存在させてもよい。特に紙、木、ブラスチックス、金属片などの断片を用いる場合には流動性液体を充填し、これらの分散体とすることが好ましい。
【０００７】
更に本考案では、流動性液体としては、水はもちろんであるが、粘性の低いものから高いものまでの範囲にある油やシリコーン油などの透明性液体が用いられる。本考案では、球体１の頂上部に光源３が設けられ、そこからコード４が設けられている。この光源としては、通常のランプでも、ＬＥＤでもよい。好ましくはＬＥＤである。これらの光源は、着色されていてもよく、例えば、赤、青、緑などであって、色に限定されない。図１では、本考案に用いられる透明又は半透明容器が、球体の場合について説明したが、図２では、立方体からなる容器が示され、図３には、多角形体が示されている。このような透明又は半透明容器の材質は、ガラスが好ましいが、透明又は半透明容器のプラスチックであってもよく、アクリル酸樹脂類が透明性の点からいって好ましい。図２は、立方体からなる装飾用ランプを示す斜視図である。図２において、立方体からなる容器１１には、シリコーン油５が充填されており、このシリコーン油５中には、四角形の金属片、例えばアルミニウム片２１が分散されている。この金属片の形状としては、この他各種の形状であってよく、この金属片は、沈殿を防止するために粘性が比較的大きいシリコーン油を用いるのが好ましい。またこの立方体の頂上部には、ＬＥＤランプが設けられており、さらに電源に通じるコード４を有する。
図３は、本考案に用いられる装飾用ランプを構成する容器の態様を示す斜視図である。図３のａは、正三角錐からなる装飾用ランプの容器であり、図３のｂは、正四角錐からなる。図３のｃは、五角面体であり、図３のｄは、六角面体からなる。この他、容器は、サッカーボール状であってもよい。しかしながら、この容器の形状は、特に限定されるものではなく、任意の形状でも差し支えない。またこれらの容器には光源を設けるが、設ける場所または位置は特に限定されない。
またこれらの容器は、無色透明又は半透明が好ましいが、各種の色で着色していてもよい。
【産業上の利用可能性】
【０００８】
本考案では、前述の如き作用効果を発揮する用途として、該装飾用ランプをクリスマスツリー、門松の装飾、家庭用、業務用などの室内装飾、劇場、舞台等の装飾、販売店の装飾、幼稚や児童の学習教材などあらゆる分野で広く使用される。
【図面の簡単な説明】
【０００９】
【図１】本考案の装飾用ランプを示す斜視図である。
【図２】本考案の装飾用ランプの別の例を示す斜視図である。
【図３】本考案の装飾用ランプに用いる容器を示す斜視図である。
【符号の説明】
【００１０】
１  装飾用ランプ（球体）
２  反射性帯状体
２１  金属片
３  光源
４  コード
１１  装飾用ランプ（立方体）
５  媒体
【図１】
0003107939.tif 000003
【図２】
0003107939.tif 000004
【図３】
0003107939.tif 000005